(57)【要約】      （修正有）【課題】画像形成装置の遠隔管理システムにおいて、ファクシミリ装置にトラブルが発生していても、遠隔管理用の通信経路を確保できるようにすること。【解決手段】遠隔管理装置からファクシミリ装置への呼出信号を通信回線から検出する呼出信号検出手段、遠隔管理装置からファクシミリ装置への識別信号を通信回線から検出する識別信号検出手段、遠隔管理装置とファクシミリ装置との通信回線の閉結状態を検出する閉結状態検出手段、ファクシミリ装置の通信回線の接続状態を切り替える接続状態切替手段を備え、呼出信号と識別信号とが検出され遠隔管理装置とファクシミリ装置とが通信回線で閉結された場合に、ファクシミリ装置を通信回線から切り離し、閉結されてない場合に、呼出信号に応答して通信回線で閉結する通信制御手段を備えることを特徴とする通信装置。【選択図】図１
2006115313.tif 000002
【特許請求の範囲】
【請求項１】
通信回線に接続されて使用される通信装置、前記通信装置に接続されて使用される画像形成装置、前記通信装置に接続されて使用されるファクシミリ装置、前記画像形成装置の遠隔管理を実行する遠隔管理装置、により構成される遠隔管理システムの構成要素となる通信装置であって、
前記遠隔管理装置から前記ファクシミリ装置への呼出信号を前記通信回線から検出する呼出信号検出手段、前記遠隔管理装置から前記ファクシミリ装置への識別信号を前記通信回線から検出する識別信号検出手段、前記遠隔管理装置と前記ファクシミリ装置との前記通信回線の閉結状態を検出する閉結状態検出手段、前記ファクシミリ装置の前記通信回線の接続状態を切り替える接続状態切替手段を備え、
前記呼出信号と前記識別信号とが検出された場合にて、前記遠隔管理装置と前記ファクシミリ装置とが前記通信回線で閉結された場合に、前記ファクシミリ装置を前記通信回線から切り離し、前記遠隔管理装置と前記ファクシミリ装置とが前記通信回線で閉結されてない場合に、前記遠隔管理装置と当該通信装置とを前記呼出信号に応答して前記通信回線で閉結する通信制御手段を備えることを特徴とする通信装置。
【請求項２】
前記通信制御手段は、前記遠隔管理装置と前記ファクシミリ装置とが閉結されてなく、前記遠隔管理装置と前記ファクシミリ装置とが前記呼出信号による呼出回数が規定回数に至るまでに前記呼出信号により閉結されなかった場合、前記遠隔管理装置と当該通信装置とを前記呼出信号に応答して閉結することを特徴とする請求項１に記載の通信装置。
【請求項３】
前記通信制御手段は、前記遠隔管理装置と前記ファクシミリ装置とが閉結されてなく、前記遠隔管理装置と前記ファクシミリ装置とが閉結失敗発呼の連続回数が規定回数に至るまでに渡り前記呼出信号に至るまでに渡る一連の呼出信号により閉結されなかった場合、前記遠隔管理装置と当該通信装置とを前記呼出信号に応答して閉結することを特徴とする請求項１に記載の通信装置。
【請求項４】
前記通信制御手段は、前記遠隔管理装置と前記ファクシミリ装置とが閉結されてなく、前記遠隔管理装置と前記ファクシミリ装置とが閉結失敗発呼の連続回数が規定回数に至るまでに渡り前記呼出信号に至るまでに渡る一連の呼出信号により閉結されなかった、且、前記遠隔管理装置と前記ファクシミリ装置とが前記呼出信号による呼出回数が規定回数に至るまでに前記呼出信号により閉結されなかった場合、前記遠隔管理装置と当該通信装置とを前記呼出信号に応答して閉結することを特徴とする請求項１に記載の通信装置。
【請求項５】
通信回線に接続されて使用される通信装置、前記通信装置に接続されて使用される画像形成装置、前記通信装置に接続されて使用されるファクシミリ装置、前記画像形成装置の遠隔管理を実行する遠隔管理装置、により構成される遠隔管理システムの構成要素となる通信装置、により実行される通信制御方法であって、
前記遠隔管理装置から前記ファクシミリ装置への呼出信号を前記通信回線から検出する呼出信号検出手段、前記遠隔管理装置から前記ファクシミリ装置への識別信号を前記通信回線から検出する識別信号検出手段、前記遠隔管理装置と前記ファクシミリ装置との前記通信回線の閉結状態を検出する閉結状態検出手段、前記ファクシミリ装置の前記通信回線の接続状態を切り替える接続状態切替手段を備える通信装置が、
前記呼出信号と前記識別信号とが検出された場合にて、前記遠隔管理装置と前記ファクシミリ装置とが前記通信回線で閉結された場合に、前記ファクシミリ装置を前記通信回線から切り離し、前記遠隔管理装置と前記ファクシミリ装置とが前記通信回線で閉結されてない場合に、前記遠隔管理装置と当該通信装置とを前記呼出信号に応答して前記通信回線で閉結する通信制御段階を備えることを特徴とする通信制御方法。
【請求項６】
前記通信制御段階で、前記遠隔管理装置と前記ファクシミリ装置とが閉結されてなく、前記遠隔管理装置と前記ファクシミリ装置とが前記呼出信号による呼出回数が規定回数に至るまでに前記呼出信号により閉結されなかった場合、前記遠隔管理装置と当該通信装置とを前記呼出信号に応答して閉結することを特徴とする請求項５に記載の通信制御方法。
【請求項７】
前記通信制御段階で、前記遠隔管理装置と前記ファクシミリ装置とが閉結されてなく、前記遠隔管理装置と前記ファクシミリ装置とが閉結失敗発呼の連続回数が規定回数に至るまでに渡り前記呼出信号に至るまでに渡る一連の呼出信号により閉結されなかった場合、前記遠隔管理装置と当該通信装置とを前記呼出信号に応答して閉結することを特徴とする請求項５に記載の通信制御方法。
【請求項８】
前記通信制御段階で、前記遠隔管理装置と前記ファクシミリ装置とが閉結されてなく、前記遠隔管理装置と前記ファクシミリ装置とが閉結失敗発呼の連続回数が規定回数に至るまでに渡り前記呼出信号に至るまでに渡る一連の呼出信号により閉結されなかった、且、前記遠隔管理装置と前記ファクシミリ装置とが前記呼出信号による呼出回数が規定回数に至るまでに前記呼出信号により閉結されなかった場合、前記遠隔管理装置と当該通信装置とを前記呼出信号に応答して閉結することを特徴とする請求項５に記載の通信制御方法。
【請求項９】
請求項５乃至８のいずれか１項に記載の通信制御方法をコンピュータに実行させる通信制御プログラム。
【請求項１０】
請求項５乃至８のいずれか１項に記載の通信制御方法をコンピュータに実行させる通信制御プログラムが記録されたコンピュータ読取可能な記録媒体。
【発明の詳細な説明】
【技術分野】
【０００１】
本発明は、パーソナルコンピュータ／サーバコンピュータ等による通信装置、コピー／プリンタ／スキャナ／ファクシミリ／複合機／融合機等の画像形成装置、ファクシミリ／ファクシミリ機能を備える複合機／ファクシミリ機能を備える融合機／ファクシミリ機能を備える電話機等のファクシミリ装置、パーソナルコンピュータ／サーバコンピュータ等による遠隔管理装置、により構成される「遠隔管理システム」の構成要素となる通信装置と、通信制御方法と、通信制御プログラムと、記録媒体に関する。
【背景技術】
【０００２】
画像形成装置は、職場や学校や店頭等の様々な場所に設置されている。画像形成装置のビジネスモデルの特徴として、課金管理やログ管理等の様々な管理が継続的に実行される点が挙げられる。
【特許文献１】特開２００２−１８５７５３号公報
【発明の開示】
【発明が解決しようとする課題】
【０００３】
様々な場所に設置されている画像形成装置の様々な管理を、画像形成装置の遠隔管理を実行する遠隔管理装置により実行できるようになれば便利だろう。この場合、どのようにして遠隔管理用の通信経路を確保するかが問題となる。通信回線に接続されて使用される機器の代表例として、電話回線に接続されて使用されるファクシミリ装置が挙げられる。よって、遠隔管理用の通信経路をファクシミリ通信方式で確保するようにすれば、様々なコストを削減できて便利だろう。
【０００４】
ファクシミリ通信は、発信側から着信側に「発呼」によって呼出信号（ＣＡＬＬＩＮＧ信号）が送信され、着信側から発信側に「応答」によって応答信号（ＣＡＬＬＥＤ信号）が送信され、発信側と着信側とが電話回線で閉結されることで実行可能になる。よって、遠隔管理用の通信経路をファクシミリ通信方式で確保する場合、ファクシミリ装置に故障や断線等のトラブルが発生していると、遠隔管理装置が「発呼」してもファクシミリ装置が「応答」せず遠隔管理装置とファクシミリ装置とが電話回線で閉結されないので、遠隔管理用の通信経路を確保できないという問題がある。
【０００５】
本発明は、画像形成装置の遠隔管理を実行するための遠隔管理システムにおいて、遠隔管理用の通信経路をファクシミリ通信方式で確保する場合に関して、ファクシミリ装置にトラブルが発生していても、遠隔管理用の通信経路を確保できるようにすることを課題とする。
【課題を解決するための手段】
【０００６】
請求項１に記載の発明は、通信回線に接続されて使用される通信装置、前記通信装置に接続されて使用される画像形成装置、前記通信装置に接続されて使用されるファクシミリ装置、前記画像形成装置の遠隔管理を実行する遠隔管理装置、により構成される遠隔管理システムの構成要素となる通信装置であって、前記遠隔管理装置から前記ファクシミリ装置への呼出信号を前記通信回線から検出する呼出信号検出手段、前記遠隔管理装置から前記ファクシミリ装置への識別信号を前記通信回線から検出する識別信号検出手段、前記遠隔管理装置と前記ファクシミリ装置との前記通信回線の閉結状態を検出する閉結状態検出手段、前記ファクシミリ装置の前記通信回線の接続状態を切り替える接続状態切替手段を備え、前記呼出信号と前記識別信号とが検出された場合にて、前記遠隔管理装置と前記ファクシミリ装置とが前記通信回線で閉結された場合に、前記ファクシミリ装置を前記通信回線から切り離し、前記遠隔管理装置と前記ファクシミリ装置とが前記通信回線で閉結されてない場合に、前記遠隔管理装置と当該通信装置とを前記呼出信号に応答して前記通信回線で閉結する通信制御手段を備えることを特徴とする通信装置である。
【０００７】
請求項２に記載の発明は、前記通信制御手段は、前記遠隔管理装置と前記ファクシミリ装置とが閉結されてなく、前記遠隔管理装置と前記ファクシミリ装置とが前記呼出信号による呼出回数が規定回数に至るまでに前記呼出信号により閉結されなかった場合、前記遠隔管理装置と当該通信装置とを前記呼出信号に応答して閉結することを特徴とする請求項１に記載の通信装置である。
【０００８】
請求項３に記載の発明は、前記通信制御手段は、前記遠隔管理装置と前記ファクシミリ装置とが閉結されてなく、前記遠隔管理装置と前記ファクシミリ装置とが閉結失敗発呼の連続回数が規定回数に至るまでに渡り前記呼出信号に至るまでに渡る一連の呼出信号により閉結されなかった場合、前記遠隔管理装置と当該通信装置とを前記呼出信号に応答して閉結することを特徴とする請求項１に記載の通信装置である。
【０００９】
請求項４に記載の発明は、前記通信制御手段は、前記遠隔管理装置と前記ファクシミリ装置とが閉結されてなく、前記遠隔管理装置と前記ファクシミリ装置とが閉結失敗発呼の連続回数が規定回数に至るまでに渡り前記呼出信号に至るまでに渡る一連の呼出信号により閉結されなかった、且、前記遠隔管理装置と前記ファクシミリ装置とが前記呼出信号による呼出回数が規定回数に至るまでに前記呼出信号により閉結されなかった場合、前記遠隔管理装置と当該通信装置とを前記呼出信号に応答して閉結することを特徴とする請求項１に記載の通信装置である。
【００１０】
請求項５に記載の発明は、通信回線に接続されて使用される通信装置、前記通信装置に接続されて使用される画像形成装置、前記通信装置に接続されて使用されるファクシミリ装置、前記画像形成装置の遠隔管理を実行する遠隔管理装置、により構成される遠隔管理システムの構成要素となる通信装置、により実行される通信制御方法であって、前記遠隔管理装置から前記ファクシミリ装置への呼出信号を前記通信回線から検出する呼出信号検出手段、前記遠隔管理装置から前記ファクシミリ装置への識別信号を前記通信回線から検出する識別信号検出手段、前記遠隔管理装置と前記ファクシミリ装置との前記通信回線の閉結状態を検出する閉結状態検出手段、前記ファクシミリ装置の前記通信回線の接続状態を切り替える接続状態切替手段を備える通信装置が、前記呼出信号と前記識別信号とが検出された場合にて、前記遠隔管理装置と前記ファクシミリ装置とが前記通信回線で閉結された場合に、前記ファクシミリ装置を前記通信回線から切り離し、前記遠隔管理装置と前記ファクシミリ装置とが前記通信回線で閉結されてない場合に、前記遠隔管理装置と当該通信装置とを前記呼出信号に応答して前記通信回線で閉結する通信制御段階を備えることを特徴とする通信制御方法である。
【００１１】
請求項６に記載の発明は、前記通信制御段階で、前記遠隔管理装置と前記ファクシミリ装置とが閉結されてなく、前記遠隔管理装置と前記ファクシミリ装置とが前記呼出信号による呼出回数が規定回数に至るまでに前記呼出信号により閉結されなかった場合、前記遠隔管理装置と当該通信装置とを前記呼出信号に応答して閉結することを特徴とする請求項５に記載の通信制御方法である。
【００１２】
請求項７に記載の発明は、前記通信制御段階で、前記遠隔管理装置と前記ファクシミリ装置とが閉結されてなく、前記遠隔管理装置と前記ファクシミリ装置とが閉結失敗発呼の連続回数が規定回数に至るまでに渡り前記呼出信号に至るまでに渡る一連の呼出信号により閉結されなかった場合、前記遠隔管理装置と当該通信装置とを前記呼出信号に応答して閉結することを特徴とする請求項５に記載の通信制御方法である。
【００１３】
請求項８に記載の発明は、前記通信制御段階で、前記遠隔管理装置と前記ファクシミリ装置とが閉結されてなく、前記遠隔管理装置と前記ファクシミリ装置とが閉結失敗発呼の連続回数が規定回数に至るまでに渡り前記呼出信号に至るまでに渡る一連の呼出信号により閉結されなかった、且、前記遠隔管理装置と前記ファクシミリ装置とが前記呼出信号による呼出回数が規定回数に至るまでに前記呼出信号により閉結されなかった場合、前記遠隔管理装置と当該通信装置とを前記呼出信号に応答して閉結することを特徴とする請求項５に記載の通信制御方法である。
【００１４】
請求項９に記載の発明は、請求項５乃至８のいずれか１項に記載の通信制御方法をコンピュータに実行させる通信制御プログラムである。
【００１５】
請求項１０記載の発明は、請求項５乃至８のいずれか１項に記載の通信制御方法をコンピュータに実行させる通信制御プログラムが記録されたコンピュータ読取可能な記録媒体である。
【発明の効果】
【００１６】
本発明は、画像形成装置の遠隔管理を実行するための遠隔管理システムにおいて、遠隔管理用の通信経路をファクシミリ通信方式で確保する場合に関して、ファクシミリ装置にトラブルが発生していても、遠隔管理用の通信経路を確保できるようにすることを可能にする。
【発明を実施するための最良の形態】
【００１７】
図１は、画像形成装置の遠隔管理を実行するための遠隔管理システム１０１の具体例を表す。図１の遠隔管理システム１０１は、通信装置１１１、画像形成装置１１２、ファクシミリ装置１１３、遠隔管理装置１１４により構成されている。図１の遠隔管理システム１０１を構成する遠隔管理装置１１４により、図１の遠隔管理システム１０１を構成する画像形成装置１１２の遠隔管理が実行される。
【００１８】
通信装置１１１は、構内交換機（ＰＢＸ）を通して又は通さずに電話回線（ＰＳＴＮ）１２１に接続された状態で使用される。画像形成装置１１２は、ＬＡＮ１２２やシリアルケーブル１２３等によって通信装置１１１に接続された状態で使用される。ファクシミリ装置１１３は、ＬＡＮ１２２やシリアルケーブル１２３等によって通信装置１１１に接続された状態で使用される。遠隔管理装置１１４は、構内交換機を通して又は通さずに電話回線１２１に接続された状態で使用される。なお、通信装置１１１は、ファクシミリＩＦ２１４（図２）に接続されているファクシミリ装置１１３を電話回線１２１に接続したり電話回線１２１から切り離したりと、ファクシミリＩＦ２１４（図２）に接続されているファクシミリ装置１１３の電話回線１２１の接続状態を切り替えることができる。
【００１９】
図２は、図１の通信装置１１１を表す。図１の通信装置１１１は、マイクロプロセッサ２０１、システムメモリ２０２、パラメータメモリ２０３、電話回線ＩＦ２１１、ＬＡＮＩＦ２１２、シリアルケーブルＩＦ２１３、ファクシミリＩＦ２１４、スイッチ２２１、直流供給回路２２２、ＭＯＤＥＭ２２３と、ＳｉＤＡＡ２２４により構成されている。
【００２０】
マイクロプロセッサ２０１は、通信制御を実行するプロセッサである。システムメモリ２０２は、通信制御用のプログラムや通信制御用のデータを記憶すると共に、通信制御用のワークエリアを提供するメモリである。パラメータメモリ２０３は、通信装置１１１に固有な通信制御用のパラメータを記憶するメモリである。
【００２１】
電話回線ＩＦ２１１は、電話回線１２１を接続するインタフェースである。ＬＡＮＩＦ２１２は、ＬＡＮ１２２によって画像形成装置１１２を接続するインタフェースである。シリアルケーブルＩＦ２１３は、シリアルケーブル１２３によって画像形成装置１１２を接続するインタフェースである。ファクシミリＩＦ２１４は、ファクシミリ装置１１３を接続するインタフェースである。
【００２２】
スイッチ２２１は、ファクシミリ装置１１３の電話回線１２１の接続状態を切り替えるスイッチである。直流供給回路２２２は、ファクシミリ装置１１３を電話回線１２１から切り離した状態でファクシミリ装置１１３の電話回線１２１のオフフック状態を検出する回路である。ＭＯＤＥＭ２２３は、遠隔管理装置１１４からファクシミリ装置１１３への遠隔管理装置１１４を識別するための「識別信号」等の、各種ＤＴＭＦ信号や各種コールプログレストーンを電話回線１２１から検出する装置である。ＳｉＤＡＡ２２４は、遠隔管理装置１１４からファクシミリ装置１１３への発呼による「呼出信号」やファクシミリ装置１１３から遠隔管理装置１１４への応答による「応答信号」等、各種呼出信号や各種応答信号を電話回線１２１から検出する装置である。したがって、ＳｉＤＡＡ２２４は、遠隔管理装置１１４とファクシミリ装置１１３との電話回線１２１の閉結状態を検出することができる。
【００２３】
図３は、呼出信号の波形図である。図３の呼出信号は、１秒のＯＮと２秒のＯＦＦとが互いに繰り返す矩形波となっている。図３の呼出信号は、遠隔管理装置１１４からファクシミリ装置１１３への１回の発呼による呼出回数５回（カデンス回数５回）の呼出信号に相当する。図３の矢印Ａは呼出開始時点に相当して、図３の矢印Ｂは呼出終了時点に相当する。呼出は、発呼をもって開始されて、応答（閉結成功）又は呼出中止（閉結失敗）をもって終了される。応答に繋がった発呼を「閉結成功発呼」と呼び、呼出中止に繋がった発呼を「閉結失敗発呼」と呼ぶことにする。
【００２４】
さて、通信装置１１１（通信処理用のプログラム）は、遠隔管理装置１１４からファクシミリ装置１１３への呼出信号と識別信号とが電話回線１２１から検出された場合にて、遠隔管理装置１１４とファクシミリ装置１１３とが電話回線１２１で閉結された場合に、ファクシミリ装置１１３を電話回線１２１から切り離すような「切離処理」や、遠隔管理装置１１４とファクシミリ装置１１３とが電話回線１２１で閉結されてない場合に、遠隔管理装置１１４と当該通信装置１１１とをその呼出信号に応答して電話回線１２１で閉結するような「閉結処理」を実行する。上記「切離処理」により、遠隔管理用の通信経路をファクシミリ通信方式で確保できるようになり、上記「閉結処理」により、ファクシミリ装置１１３にトラブルが発生していても、遠隔管理用の通信経路をファクシミリ通信方式で確保できるようになる。なお、呼出信号はＳｉＤＡＡ２２４にて検出され、識別信号はＭＯＤＥＭ２２３にて検出され、電話回線１２１の閉結状態はＳｉＤＡＡ２２４にて検出され、電話回線１２１の接続状態の切替にはスイッチ２２１が利用される。
【００２５】
図４は、通信装置１１１により実行される通信制御に係るフローチャート図である。
【００２６】
通信装置１１１は先ず、遠隔管理装置１１４からファクシミリ装置１１３への呼出信号と識別信号とを電話回線１２１から検出した場合（Ｓ１０１，Ｓ１０２）には、その呼出信号に至るまでの一連の呼出信号による「閉結失敗発呼の連続回数」を確認（Ｓ１０３）する。即ち、遠隔管理装置１１４からファクシミリ装置１１３への一連の発呼による一連の呼出信号について、今回の発呼に至るまでに何連続で閉結失敗発呼が続いているのかを確認するのである。確認先は「閉結失敗発呼の連続回数」のカウンタである。
【００２７】
通信装置１１１は次に、上記「閉結失敗発呼の連続回数」が規定回数（例えば３回）に至っていない場合（Ｓ１０３）には、今回の呼出信号に係る応答と呼出中止とを監視（Ｓ２０１，Ｓ２０２）する。通信装置１１１は、応答が検出された場合（Ｓ２０１）には、上記「閉結失敗発呼の連続回数」のカウンタをクリアし、ファクシミリ装置１１３を電話回線１２１から切り離し、遠隔管理に伴う通常処理を実行（Ｓ２１１，２１２，２１３）する。通信装置１１１は、呼出中止が検出された場合（Ｓ２０２）には、上記「閉結失敗発呼の連続回数」のカウンタをインクリメント（Ｓ２２１）して、終了する。
【００２８】
通信装置１１１はまた、上記「閉結失敗発呼の連続回数」が規定回数（例えば３回）に至っている場合（Ｓ１０３）には、今回の呼出信号に係る応答と呼出回数と呼出中止とを監視（Ｓ３０１，３０２，３０３）する。通信装置１１１は、応答が検出された場合（Ｓ３０１）には、上記「閉結失敗発呼の連続回数」のカウンタをクリアして、ファクシミリ装置１１３を電話回線１２１から切り離し、遠隔管理に伴う通常処理を実行（Ｓ３１１，３１２，３１３）する。通信装置１１１は、応答が検出されずに、今回の呼出信号による呼出回数が規定回数（例えば５回等）に至った場合（Ｓ３０２）には、ファクシミリ装置１１３を電話回線１２１から切り離して、遠隔管理装置１１４と当該通信装置１１１とを今回の呼出信号に応答して電話回線１２１で閉結し、遠隔管理に伴う通常処理を実行（Ｓ３２１，Ｓ３２２，Ｓ３２３）する。通信装置１１１は、呼出中止が検出された場合（Ｓ２０２）には、終了する。
【００２９】
通信装置１１１はこのようにして、遠隔管理装置１１４とファクシミリ装置１１３とが閉結されてなく；Ｓ３０１、遠隔管理装置１１４とファクシミリ装置１１３とが閉結失敗発呼の連続回数が規定回数に至るまでに渡り今回の呼出信号に至るまでに渡る一連の呼出信号により閉結されなかった；Ｓ１０３、且つ、遠隔管理装置１１４とファクシミリ装置１１３とが今回の呼出信号による呼出回数が規定回数に至るまでに今回の呼出信号により閉結されなかった；Ｓ３０２、場合において、遠隔管理装置１１４と当該通信装置１１１とを今回の呼出信号に応答して閉結するのである。
【００３０】
図５の通信制御を図４の通信制御の代わりに採用しても構わない。
【００３１】
図５では、通信装置１１１は、遠隔管理装置１１４とファクシミリ装置１１３とが閉結されてなく；Ｓ３０１、遠隔管理装置１１４とファクシミリ装置１１３とが閉結失敗発呼の連続回数が規定回数に至るまでに渡り今回の呼出信号に至るまでに渡る一連の呼出信号により閉結されなかった；Ｓ１０３、場合において、遠隔管理装置１１４と当該通信装置１１１とを今回の呼出信号に応答して閉結する。
【００３２】
図６の通信制御を図４の通信制御の代わりに採用しても構わない。
【００３３】
図６では、通信装置１１１は、遠隔管理装置１１４とファクシミリ装置１１３とが閉結されてなくて；Ｓ３０１、遠隔管理装置１１４とファクシミリ装置１１３とが今回の呼出信号による呼出回数が規定回数に至るまでに今回の呼出信号により閉結されなかった；Ｓ３０２、場合において、遠隔管理装置１１４と当該通信装置１１１とを今回の呼出信号に応答して閉結する。
【００３４】
図５の通信制御は、何回掛け直しても通じない場合の対策となり、図６の通信制御は、何秒掛け続けても通じない場合の対策となる。
【図面の簡単な説明】
【００３５】
【図１】画像形成装置の遠隔管理を実行するための遠隔管理システムの具体例を表す。
【図２】図１の通信装置を表す。
【図３】呼出信号の波形図である。
【図４】通信装置により実行される通信制御に係るフローチャート図である。
【図５】通信装置により実行される通信制御に係るフローチャート図である。
【図６】通信装置により実行される通信制御に係るフローチャート図である。
【符号の説明】
【００３６】
１０１  遠隔管理システム
１１１  通信装置
１１２  画像形成装置
１１３  ファクシミリ装置
１１４  遠隔管理装置
１２１  電話回線
１２２  ＬＡＮ
１２３  シリアルケーブル
２０１  マイクロプロセッサ
２０２  システムメモリ
２０３  パラメータメモリ
２１１  電話回線ＩＦ
２１２  ＬＡＮＩＦ
２１３  シリアルケーブルＩＦ
２１４  ファクシミリＩＦ
２２１  スイッチ
２２２  直流供給回路
２２３  ＭＯＤＥＭ
２２４  ＳｉＤＡＡ
【図１】
2006115313.tif 000003
【図２】
2006115313.tif 000004
【図３】
2006115313.tif 000005
【図４】
2006115313.tif 000006
【図５】
2006115313.tif 000007
【図６】
2006115313.tif 000008